【事件の表示】
　特願２００４−１８６６６１「逆多重化器を用いた表示装置及びその駆動方法」拒絶査定不服審判事件〔平成１７年　６月１６日出願公開、特開２００５−１５７２７４〕について、次のとおり審決する。
【結　論】
　本件審判の請求は、成り立たない。
【理　由】
　
１　手続の経緯  
　
 　本願は、平成１６年６月２４日（パリ条約による優先権主張２００３年１１月２７日、大韓民国）の出願であって、平成１９年１０月１１日付けで手続補正がなされ、平成２０年３月７日付けで拒絶査定がなされ、これに対して平成２０年６月２日に拒絶査定不服審判の請求がなされると共に、同日付けで手続補正がなされたものである。 
 　 
２　平成２０年６月２日付け手続補正についての補正却下の決定 
　
[補正却下の決定の結論] 
　
　平成２０年６月２日付け手続補正を却下する。 
　
[理由］独立特許要件違反 
　
 　平成２０年６月２日付け手続補正（以下「本件補正」という。）により、本件補正前の請求項１は、 
「【請求項１】 
画像を示すデータ電流を伝達する複数のデータ線と前記データ線と電気的に連結されている複数の画素回路を含む表示領域と、
　複数の第１信号線と、
　前記複数の第１信号線に電気的に連結されて前記データ電流に対応する第１電流を時分割して前記第１信号線に伝達するデータ駆動部と、
　前記複数の第１信号線から前記第１電流を各々受信する複数の逆多重化器を含む逆多重化部と、
　前記第１信号線に前記第１電流が伝達される前に前記第１信号線にプリチャージ電圧を伝達するプリチャージ部とを含み、
　前記逆多重化器は前記第１信号線から前記第１電流を受信して少なくとも二つの前記データ線に前記データ電流を伝達することを特徴とする表示装置。」から 
「【請求項１】 
画像を示すデータ電流を伝達する複数のデータ線と前記データ線と電気的に連結されている複数の画素回路を含む表示領域と、
　複数の第１信号線と、
　前記複数の第１信号線に電気的に連結されて前記データ電流に対応する第１電流を時分割して前記第１信号線に伝達するデータ駆動部と、
　前記複数の第１信号線から前記第１電流を各々受信する複数の逆多重化器を含む逆多重化部と、
　前記第１信号線に前記第１電流が伝達される前に前記第１信号線にプリチャージ電圧を伝達するプリチャージ部とを含み、
　
前記逆多重化部は、前記プリチャージ部が複数の並列な前記第１信号線にプリチャージ電圧を伝達した後に、前記逆多重化器によって前記第１信号線から前記第１電流を受信して少なくとも二つの前記データ線に前記データ電流を伝達する
に補正された。（下線は、補正箇所を明示するために請求人が付した。） 
　
　そして、この補正は、「前記第１信号線から前記第１電流を受信して少なくとも二つの前記データ線に前記データ電流を伝達する」動作の主体を、補正前の「前記逆多重化器」から、「前記逆多重化部」が「前記逆多重化器」によって行うと補正すると共に、「前記第１信号線から前記第１電流を受信して少なくとも二つの前記データ線に前記データ電流を伝達する」タイミングとして、「前記プリチャージ部が複数の並列な前記第１信号線にプリチャージ電圧を伝達した後に」と限定するものである。 
　
　したがって、この補正は、特許請求の範囲の減縮を目的とするものに該当する。 
　そこで、本件補正後の請求項１に係る発明が特許出願の際独立して特許を受けることができるものであるか（平成１８年改正前特許法第１７条の２第５項において準用する特許法第１２６条第５項の規定に適合するか）について検討する。 
　
（１）本件補正後の本願発明 
　
　本願の請求項１に係る発明（以下「本願補正発明」という。）は、本件補正により補正された特許請求の範囲、明細書及び図面からみて、その請求項１に記載された以下のものと認める。 
「画像を示すデータ電流を伝達する複数のデータ線と前記データ線と電気的に連結されている複数の画素回路を含む表示領域と、
　複数の第１信号線と、
　前記複数の第１信号線に電気的に連結されて前記データ電流に対応する第１電流を時分割して前記第１信号線に伝達するデータ駆動部と、
　前記複数の第１信号線から前記第１電流を各々受信する複数の逆多重化器を含む逆多重化部と、
　前記第１信号線に前記第１電流が伝達される前に前記第１信号線にプリチャージ電圧を伝達するプリチャージ部とを含み、
　前記逆多重化部は、前記プリチャージ部が複数の並列な前記第１信号線にプリチャージ電圧を伝達した後に、前記逆多重化器によって前記第１信号線から前記第１電流を受信して少なくとも二つの前記データ線に前記データ電流を伝達することを特徴とする表示装置。」
　
（２）引用発明 
（２−１）引用刊行物の記載事項
　原査定の拒絶の理由に引用され、本願の優先日前である平成１５年７月９日に頒布された刊行物である特開２００３−１９５８１５号公報（以下「引用刊行物」という。）には、「アクティブマトリクス型表示装置」の発明に関して、以下の事項が記載されている。 
　
＜記載事項１＞　　　　　　　　　　　　　　　　　　 
「【０００１】 
【発明の属する技術分野】本発明は、各画素毎に能動素子を有して当該能動素子によって画素単位で表示制御が行われるアクティブマトリクス型表示装置に関し、特に、流れる電流によって輝度が変化する電気光学素子を画素の表示素子として用いるアクティブマトリクス型表示装置および電気光学素子として有機材料のエレクトロルミネッセンス(以下、有機ＥＬ(electroluminescence) と記す)素子を用いるアクティブマトリクス型有機ＥＬ表示装置に関する。」 
　
　第１実施形態の説明として、以下の事項が記載されている。
 ＜記載事項２＞ 
「【００４０】［第１実施形態］図１は、本発明の第１実施形態に係るアクティブマトリクス型表示装置の構成例を示すブロック図である。図１において、画素回路１１がマトリクス状に多数配置されて表示領域（表示部）を構成している。ここでは、ｍ列ｎ行の画素配列を例に採って示している。この表示領域には、画素回路１１の各々に対して、各画素（画素回路）を選択するｎ本の走査線１２−１〜１２−ｎと、各画素に画像データ、例えば輝度データを供給するｍ本のデータ線１３−１〜１３−ｍとが配線されている。
【００４１】上記表示領域の外部には、走査線１２−１〜１２−ｎを選択駆動する走査線駆動回路１４が設けられるとともに、データ線１３−１〜１３−ｍを駆動するデータ線ドライバ回路１５が設けられている。走査線駆動回路１４は例えばシフトレジスタからなり、各転送段の出力端が走査線１２−１〜１２−ｎの各一端に接続されている。データ線ドライバ回路１５は、後述するように、ｍ個の電流書き込み型の電流ドライバ回路（ＣＤ）１５−１〜１５−ｍによって構成されている。電流書き込み型の電流ドライバ回路（以下、単に「電流ドライバ回路」と記す）１５−１〜１５−ｍは、各出力端がデータ線１３−１〜１３−ｍの各一端に接続されている。
【００４２】データ線ドライバ回路１５の電流ドライバ回路１５−１〜１５−ｍには、信号入力線１６を通して外部から画像データ（本例では、輝度データ）ｓｉｎが供給されるとともに、制御線１７を通して外部から駆動制御信号ｄｅが供給される。すなわち、データ線１３−１〜１３−ｍ毎に設けられた電流ドライバ回路１５−１〜１５−ｍは同一の信号入力線１６を共用し、これを時分割的に使用しつつ画像データの取り込みを行う。電流ドライバ回路１５−１〜１５−ｍにはさらに、水平スキャナ（ＨＳＣＡＮ）１８から、２系統の書き込み制御信号ｗｅＡ１〜ｗｅＡｍ，ｗｅＢ１〜ｗｅＢｍが供給される。」 
　
＜記載事項３＞ 
「【００４７】［第１回路例］図４は、データ線ドライバ回路１５を構成する電流ドライバ回路１５−１〜１５−ｍの具体的な回路例を示す回路図である。なお、電流ドライバ回路１５−１〜１５−ｍの各々は全く同じ回路構成となっている。
【００４８】図４から明らかなように、本例に係る電流ドライバ回路は、４つのＴＦＴ３１〜３４および１つのキャパシタ３５から構成されている。この回路例では、ＴＦＴ３１〜３４のすべてをＮＭＯＳで構成しているが、これは一例であって、これに限られるものではない。
【００４９】図４において、ＴＦＴ３１はそのソースが接地されて変換部を構成している。このＴＦＴ３１のドレインに、ＴＦＴ３２，３３の各ソースおよびＴＦＴ３４のドレインがそれぞれ接続されている。ＴＦＴ３２は、そのドレインが信号入力線１６に接続された第１のスイッチ素子であり、そのゲートには第１の書き込み制御信号ｗｅＡが与えられる。ＴＦＴ３３は、そのドレインがデータ線１３に接続されて駆動部を構成しており、そのゲートには制御線１７を介して駆動制御信号ｄｅが与えられる。ＴＦＴ３４は、そのソースがＴＦＴ３１のゲートに接続された第２のスイッチ素子であり、そのゲートには第２の書き込み制御信号ｗｅＢが与えられる。ＴＦＴ３１のゲートおよびＴＦＴ３４のソースとグランドとの間には、保持部を構成するキャパシタ３５が接続されている。
【００５０】次に、上記構成の電流ドライバ回路の回路動作について、図５の駆動波形図を用いて説明する。
【００５１】本電流ドライバ回路への書き込み時には第１の書き込み制御信号ｗｅＡおよび第２の書き込み制御信号ｗｅＢを共に選択状態とする。ここでは、両者が高レベルの状態を選択状態としている。さらに、駆動制御信号ｄｅを非選択状態（ここでは低レベル）とする。この状態で信号入力線１６に電流値Ｉｗの電流源ＣＳを接続することにより、ＴＦＴ３２のソースを通してＴＦＴ３１に書き込み電流Ｉｗが流れる。
【００５２】このとき、ＴＦＴ３ｌのゲート・ドレイン間はＴＦＴ３４によって電気的に短絡されているので（３）式が成立し、ＴＦＴ３ｌは飽和領域で動作する。したがって、そのゲート・ソース間には、
    Ｉｗ＝μＣｏｘＷ／Ｌ／２（ｖｇｓ−Ｖｔｈ）2             ……（５）
で与えられる電圧Ｖｇｓが生ずる。ここで、ＶｔｈはＴＦＴ３１のしきい値、μはキャリアの移動度、Ｃｏｘは単位面積当たりのゲート容量、Ｗはチャネル幅、Ｌはチャネル長である。
【００５３】次に、第１，第２の書き込み制御信号ｗｅＡ，ｗｅＢを非選択状態とする。詳しくは、先ず、第２の書き込み制御信号ｗｅＢを低レベルとしてＴＦＴ３４を非導通状態とする。これにより、ＴＦＴ３ｌのゲート・ソース間に生じた電圧Ｖｇｓがキャパシタ３５によって保持される。次いで、第１の書き込み制御信号ｗｅＡを低レベルとしてＴＦＴ３２を非導通状態とすることにより、本電流ドライバ回路と電流源ＣＳとが電気的に遮断されるので、その後は電流源ＣＳによって別の電流ドライバ回路に対して書き込みを行うことができる。ＴＥＴ３３は、キャパシタ３５の保持電圧Ｖｇｓに基づいてデータ線１３を駆動する。
【００５４】このように、本電流ドライバ回路への書き込み終了時、先ずＴＦＴ３４を非導通状態とし、しかる後ＴＦＴ３２を非導通状態とする、即ちＴＦＴ３２に先立ってＴＦＴ３４を非導通状態とすることで、輝度データの書き込みを確実に行うことができる。ここで、電流源ＣＳが駆動するデータは、第２の書き込み制御信号ＷｅＢが非選択となる時点では有効である必要があるが、その後は任意の値（例えば、次の電流ドライバ回路への書き込みデータ）とされて良い。
【００５５】次に、駆動制御信号ｄｅを選択状態（ここでは高レベル）とすると、ＴＦＴ３ｌが飽和領域で動作していれば、ＴＦＴ３ｌを流れる電流は、
    Ｉｄ＝μＣｏｘＷ／Ｌ／２（ｖｇｓ−Ｖｔｈ）2             ……（６）
で与えられる。これがデータ線１３に流れる電流となるが、これは先の書き込み電流Ｉｗに一致する。
【００５６】すなわち、図４に示す回路は、電流値の形で書き込まれた輝度データｓｉｎを一旦電圧値に変換してキャパシタ３５に保持し、書き込み終了後もキャパシタ３５の電圧値に基づいて、書き込まれた電流値とほぼ等しい電流値でデータ線１３を駆動する機能を有する。さらにこの動作において、（５）式、（６）式中のキャリアの移動度μや、しきい値Ｖｔｈ等の絶対値は問題とされない。すなわち、図４に示す回路は、ＴＦＴの特性ばらつきによらず、書き込まれた電流値と正確に等しい電流値でデータ線１３を駆動することができる。」 
　
　第１実施形態の派生形態である第２実施形態の変形例の説明として、以下の事項が記載されている。
＜記載事項４＞　 
「【００９３】また、本実施形態に係るアクティブマトリクス型表示装置において、１走査線周期の間にｍ個すべての電流ドライバ回路１５Ａ−１〜１５Ａ−ｍ，１５Ｂ−１〜１５Ｂ−ｍに対する書き込み動作を完了することが難しい場合は、信号入力線１６を複数本設け、並列書き込みを行うようにすることも可能である（第２実施形態の変形例）。
【００９４】具体的には、図１１に示すように、例えば２本の信号入力線１６−１，１６−２を設けるとともに、電流ドライバ回路１５Ａ−１〜１５Ａ−ｍ，１５Ｂ−１〜１５Ｂ−ｍを図の左側半分と右半分とにブロック化し、電流ドライバ回路１５Ａ−１〜１５Ａ−ｍ，１５Ｂ−１〜１５Ｂ−ｍに対する図の左側半分のデータ書き込みを信号入力線１６−１に、図の右側半分のデータ書き込みを信号入力線１６−２にそれぞれ担わせるようにする。
【００９５】この構成を採ることで、電流ドライバ回路１５Ａ−１〜１５Ａ−ｍ，１５Ｂ−１〜１５Ｂ−ｍに対して２個ずつ同時に（並列に）輝度データｓｉｎを書き込むことができることから、データ線ドライバ１個当たりの書き込み時間は２倍となるため、書き込み動作は容易になる。同様にして、信号入力線１６を３本以上設けることも可能である。」 
　
　第１実施形態の派生形態である第６実施形態の説明として、以下の事項が記載されている。
＜記載事項５＞　 
「【０１６５】［第６実施形態］図３１は、本発明の第６実施形態に係るアクティブマトリクス型表示装置の構成例を示すブロック図であり、図中、図１と同等部分には同一符号を付して示している。本実施形態に係るアクティブマトリクス型表示装置は、第１実施形態に係るアクティブマトリクス型表示装置と基本的な構成が全く同じであり、これに加えて、信号入力線１６と正電源Ｖｄｄとの間に、初期値設定用素子、例えばＰＭＯＳトランジスタからなるプリチャージ素子（ＰＣ）５６を接続した点を特徴としている。
【０１６６】以下に、プリチャージ素子５６の作用について説明する。電流書き込み型の画素回路において、黒に近いグレーを書き込む際に長い時間を要する場合がある。図３２では、書き込み開始時のデータ線の電位が０Ｖである場合を示している。これは、直前の書き込みサイクルにおいて「黒」を書いた場合で、書き込まれた電流ドライバ回路（例えば、図４の場合）のＴＦＴ３ｌのしきい値が０Ｖ程度と低い場合、あるいは同様に黒書き込みの場合であって、前述のような黒浮き対策用のリーク素子５５を備えた場合に起こり得る。
【０１６７】従来技術では、初期値の０Ｖから「黒」に近いグレー、即ち非常に小さな電流値を書き込んでいるため、平衡電位に達するのに長い時間がかかる。例えば、所定の書き込み時間内にＴＦＴ３ｌのしきい値に達しないことも考えられる。この場合、ＴＦＴ３ｌはデータ線１３の駆動時にオフ状態となり、表示画像はいわゆる黒潰れの状態となる。
【０１６８】本実施形態に係るアクティブマトリクス型表示装置では、データ線１３と電源電位Ｖｄｄとの間に、プリチャージ素子５６としてＰＭＯＳトランジスタを接続し、そのゲート電位Ｖｇとして、書き込みサイクルの最初にパルスを与えるようにしている。このパルス印加によって、信号入力線１６の電圧がＴＦＴ３ｌのしきい値以上に上昇し、その後は書き込み電流Ｉｗとデータ線ドライバ回路内部のＴＦＴの動作とのバランスで決まる平衡電位に向かって比較的高速に収束するので、正しい輝度データの書き込みが高速で可能になる。
【０１６９】このように、信号入力線１６と正電源Ｖｄｄとの間にプリチャージ素子５６を接続する構成は、データ線ドライバ回路として図４のような電流書き込み型のドライバ回路を用いた図１の構成のアクティブマトリクス型表示装置への適用に限られるものではなく、他の電流書き込み型のドライバ回路を用いた構成のアクティブマトリクス型表示装置にも同様に適用可能である。なお、プリチャージ素子５６としては、ＴＦＴで構成することも、ＴＦＴプロセスとは別個に外部部品で構成することも可能である。」
　
（２−２）引用刊行物に記載された発明
（２−２−１）
　上記記載事項１には、「本発明は、・・・アクティブマトリクス型表示装置に関し、特に、・・・アクティブマトリクス型有機ＥＬ表示装置に関する。」と記載されている。
　これらの記載によれば、引用刊行物には、「アクティブマトリクス型表示装置」の発明が記載されている。
　
（２−２−２）
　第１実施形態を説明する上記記載事項２には、「【００４０】・・・図１において、画素回路１１がマトリクス状に多数配置されて表示領域（表示部）を構成している。・・・この表示領域には、画素回路１１の各々に対して、各画素（画素回路）を選択するｎ本の走査線１２−１〜１２−ｎと、各画素に画像データ、例えば輝度データを供給するｍ本のデータ線１３−１〜１３−ｍとが配線されている。」、「【００４２】データ線ドライバ回路１５の電流ドライバ回路１５−１〜１５−ｍには、信号入力線１６を通して外部から画像データ（本例では、輝度データ）ｓｉｎが供給される・・・」、上記載事項３の「【００４７】［第１回路例］図４は、データ線ドライバ回路１５を構成する電流ドライバ回路１５−１〜１５−ｍの具体的な回路例を示す回路図である。・・・」、「【００５５】・・・ＴＦＴ３ｌを流れる電流は、
    Ｉｄ＝μＣｏｘＷ／Ｌ／２（ｖｇｓ−Ｖｔｈ）2             ……（６）
で与えられる。これがデータ線１３に流れる電流となるが、これは先の書き込み電流Ｉｗに一致する。」と記載されている。
　これらの記載によれば、引用刊行物に記載された「アクティブマトリクス型表示装置」は、「各画素に画像データを示す電流値Ｉｄを持つ電流を供給するｍ本のデータ線（１３−１〜１３−ｍ）と前記データ線（１３−１〜１３−ｍ）に配線されている複数の画素回路（１１）が多数配置されている表示領域」を含むものである。
　
（２−２−３）
　第１実施形態を説明する上記記載事項２には、「【００４２】データ線ドライバ回路１５の電流ドライバ回路１５−１〜１５−ｍには、信号入力線１６を通して外部から画像データ（本例では、輝度データ）ｓｉｎが供給される・・・」と、第２実施形態の変形例を説明する上記記載事項４には「具体的には、図１１に示すように、例えば２本の信号入力線１６−１，１６−２を設ける」と記載されている。
　これらの記載によれば、引用刊行物に記載された第１実施形態の「アクティブマトリクス型表示装置」は「１本の信号入力線（１６）」を、引用刊行物に記載された第２実施形態の変形例の「アクティブマトリクス型表示装置」は「２本の信号入力線（１６−１、１６−２）」を含むものである。
　
（２−２−４）
　第１実施形態を説明する上記記載事項３には「【００４２】データ線ドライバ回路１５の電流ドライバ回路１５−１〜１５−ｍには、信号入力線１６を通して外部から画像データ（本例では、輝度データ）ｓｉｎが供給される・・・すなわち、データ線１３−１〜１３−ｍ毎に設けられた電流ドライバ回路１５−１〜１５−ｍは同一の信号入力線１６を共用し、これを時分割的に使用しつつ画像データの取り込みを行う。」、「【００５１】・・・この状態で信号入力線１６に電流値Ｉｗの電流源ＣＳを接続することにより、ＴＦＴ３２のソースを通してＴＦＴ３１に書き込み電流Ｉｗが流れる。」、「【００５５】次に、駆動制御信号ｄｅを選択状態（ここでは高レベル）とすると、ＴＦＴ３ｌが飽和領域で動作していれば、ＴＦＴ３ｌを流れる電流は、
    Ｉｄ＝μＣｏｘＷ／Ｌ／２（ｖｇｓ−Ｖｔｈ）2             ……（６）
で与えられる。これがデータ線１３に流れる電流となるが、これは先の書き込み電流Ｉｗに一致する。」、「【００５６】すなわち、図４に示す回路は、電流値の形で書き込まれた輝度データｓｉｎを一旦電圧値に変換してキャパシタ３５に保持し、書き込み終了後もキャパシタ３５の電圧値に基づいて、書き込まれた電流値とほぼ等しい電流値でデータ線１３を駆動する機能を有する。」と記載されている。
　これらの記載によれば、引用刊行物に記載された第１実施形態において、電流値Ｉｗを持つ電流源ＣＳは信号入力線１６に接続され、信号入力線１６に接続されている電流ドライバ回路１５−１〜１５−ｍ内のキャパシタ３５に電流値Ｉｗに応じた電圧値を書き込み、この電圧値に基づいて、電流ドライバ回路１５−１〜１５−ｍ内のＴＦＴ３１は、電流ドライバ回路１５−１〜１５−ｍに接続されたデータ線１３−１〜１３−ｍを、電流値Ｉｗに一致する電流値Ｉｄで駆動するものである。そして、電流ドライバ回路１５−１〜１５−ｍは同一の信号入力線１６を共用し、これを時分割的に使用しつつ画像データの取り込みを行うのであるから、信号入力線１６に流れる電流は、時分割されてそれぞれの電流ドライバ回路１５−１〜１５−ｍに対応する電流値を有している。
　したがって、引用刊行物に記載された第１実施形態の「アクティブマトリクス型表示装置」は、「前記信号入力線（１６）に接続され、前記画像データを示す電流値Ｉｄを持つ電流に対応する電流値Ｉｗを持つ電流を時分割で前記信号入力線（１６）に供給する電流源（ＣＳ）」、及び、「前記信号入力線から電流値Ｉｗを一旦電圧値に変換して保持し、保持した電圧値に基づいて、書き込まれた電流値Ｉｗとほぼ等しい電流値Ｉｄで前記データ線（１３−１〜１３−ｍ）を駆動するｍ個の電流ドライバ回路（１５−１〜１５−ｍ）を含むデータ線ドライバ回路（１５）」を含むものである。
　
（２−２−５）
　第２実施形態の変形例を説明する上記記載事項４には「【００９４】具体的には、図１１に示すように、例えば２本の信号入力線１６−１，１６−２を設けるとともに、電流ドライバ回路１５Ａ−１〜１５Ａ−ｍ，１５Ｂ−１〜１５Ｂ−ｍを図の左側半分と右半分とにブロック化し、電流ドライバ回路１５Ａ−１〜１５Ａ−ｍ，１５Ｂ−１〜１５Ｂ−ｍに対する図の左側半分のデータ書き込みを信号入力線１６−１に、図の右側半分のデータ書き込みを信号入力線１６−２にそれぞれ担わせるようにする。」、「【００９５】この構成を採ることで、電流ドライバ回路１５Ａ−１〜１５Ａ−ｍ，１５Ｂ−１〜１５Ｂ−ｍに対して２個ずつ同時に（並列に）輝度データｓｉｎを書き込むことができる・・・」と記載されている。
　これらの記載、及び、（２−２−４）によれば、引用刊行物に記載された第２実施形態は、第１実施形態の変形例であって、信号入力線を２本含むものであるから、引用刊行物に記載された第２実施形態の「アクティブマトリクス型表示装置」は、「前記２本の信号入力線（１６−１、１６−２）に接続され、前記画像データを示す電流値Ｉｄを持つ電流に対応する電流値Ｉｗを持つ電流を時分割で前記信号入力線（１６−１、１６−２）に供給する電流源（ＣＳ）」、及び、「前記２本の信号入力線（１６−１、１６−２）から電流値Ｉｗを一旦電圧値に変換して保持し、保持した電圧値に基づいて、書き込まれた電流値Ｉｗとほぼ等しい電流値Ｉｄで前記データ線（１３−１〜１３−ｍ）を駆動する２ｍ個の電流ドライバ回路（１５Ａ−１〜１５Ａ−ｍ、１５Ｂ−１〜１５Ｂ−ｍ）を含むデータ線ドライバ回路（１５）」を含むものである。
　
（２−２−６）
　第６実施形態を説明する上記記載事項５には、「【０１６５】・・・本実施形態に係るアクティブマトリクス型表示装置は、第１実施形態に係るアクティブマトリクス型表示装置と基本的な構成が全く同じであり、これに加えて、信号入力線１６と正電源Ｖｄｄとの間に、初期値設定用素子、例えばＰＭＯＳトランジスタからなるプリチャージ素子（ＰＣ）５６を接続した点を特徴としている。」、「【０１６８】本実施形態に係るアクティブマトリクス型表示装置では、データ線１３と電源電位Ｖｄｄとの間に、プリチャージ素子５６としてＰＭＯＳトランジスタを接続し、そのゲート電位Ｖｇとして、書き込みサイクルの最初にパルスを与えるようにしている。」と記載されている。
　ここで、プリチャージ素子５６にパルスを与えることは、プリチャージ素子５６をオンして、信号入力線１６に正電源Ｖｄｄの電圧を印加することである。また、（２−２−４）によれば、書き込みサイクルは、データ線ドライバ回路１５内の電流ドライバ回路１５−１〜１５−ｍに、電流値Ｉｗを持つ電流源ＣＳを信号入力線１６に接続することによって、電流ドライバ回路１５−１〜１５−ｍ内のキャパシタ３５に電流値Ｉｗに応じた電圧を保持させるサイクルである。したがって、プリチャージ素子５６に書き込みサイクルの最初にパルスを与えることは、まず、最初にプリチャージ素子５６をオンして、信号入力線１６に正電源Ｖｄｄの電圧を印加し、その後に、上記書き込みサイクルを行い、その後に、電流ドライバ回路１５−１〜１５−ｍ内のＴＦＴ３１は、電流ドライバ回路１５−１〜１５−ｍに接続されたデータ線１３−１〜１３−ｍを、電流値Ｉｗに一致する電流値Ｉｄで駆動することを意味する。
　したがって、引用刊行物に記載された第６実施形態の「アクティブマトリクス型表示装置」は、「前記信号入力線（１６）に電流値Ｉｗを持つ電流が印加される前に、前記信号入力線（１６）に正電源Ｖｄｄの電圧を印加するプリチャージ素子（５６）及び正電源（Ｖｄｄ）」を含み、「前記データ線ドライバ回路（１５）は、前記プリチャージ素子（５６）及び正電源（Ｖｄｄ）が前記信号入力線に正電源（Ｖｄｄ）の電圧を印加した後に、前記電流ドライバ回路（１５−１〜１５−ｍ）によって前記信号入力線（１６）から電流値Ｉｗを持つ電流を受信して複数のデータ線（１３−１〜１３−ｍ）に電流値Ｉｄを持つ電流を印加する」ものである。
　
（２−２−７）
　第２実施形態の変形例は第1実施形態の派生形態であるところ、第２実施形態の変形例に関する（２−２−１）〜（２−２−５）によれば、引用刊行物には、以下の引用発明１が記載されている。 
 「各画素に画像データを示す電流値Ｉｄを持つ電流を供給するｍ本のデータ線（１３−１〜１３−ｍ）と前記データ線（１３−１〜１３−ｍ）に配線されている複数の画素回路（１１）が多数配置されている表示領域と、
　２本の信号入力線（１６−１、１６−２）と、
　前記２本の信号入力線（１６−１、１６−２）に接続され、前記画像データを示す電流値Ｉｄを持つ電流に対応する電流値Ｉｗを持つ電流を時分割で前記信号入力線（１６−１、１６−２）に供給する電流源（ＣＳ）と、
　前記２本の信号入力線（１６−１、１６−２）から電流値Ｉｗを一旦電圧値に変換して保持し、保持した電圧値に基づいて、書き込まれた電流値Ｉｗとほぼ等しい電流値Ｉｄで前記データ線（１３−１〜１３−ｍ）を駆動する２ｍ個の電流ドライバ回路（１５Ａ−１〜１５Ａ−ｍ、１５Ｂ−１〜１５Ｂ−ｍ）を含むデータ線ドライバ回路（１５）とを含むアクティブマトリクス型表示装置。」
　
（２−２−８）
　第６実施形態は第1実施形態の派生形態であるところ、第６実施形態に関する（２−２−１）〜（２−２−４）、（２−２−６）によれば、引用刊行物には、以下の引用発明２が記載されている。 
　「各画素に画像データを示す電流値Ｉｄを持つ電流を供給するｍ本のデータ線（１３−１〜１３−ｍ）と前記データ線（１３−１〜１３−ｍ）に配線されている複数の画素回路（１１）が多数配置されている表示領域と、
　１本の信号入力線（１６）と、
　前記１本の信号入力線（１６）に接続され、前記画像データを示す電流値Ｉｄを持つ電流に対応する電流値Ｉｗを持つ電流を時分割で前記１本の信号入力線（１６）に供給する電流源（ＣＳ）と、
　前記１本の信号入力線（１６）から電流値Ｉｗを一旦電圧値に変換して保持し、保持した電圧値に基づいて、書き込まれた電流値Ｉｗとほぼ等しい電流値Ｉｄで前記データ線（１３−１〜１３−ｍ）を駆動するｍ個の電流ドライバ回路（１５−１〜１５−ｍ）を含むデータ線ドライバ回路（１５）を含むアクティブマトリクス型表示装置において、
　前記信号入力線（１６）に電流値Ｉｗを持つ電流が印加される前に、前記信号入力線（１６）に正電源Ｖｄｄの電圧を印加するプリチャージ素子（５６）及び正電源（Ｖｄｄ）を設け、
　前記データ線ドライバ回路（１５）は、前記プリチャージ素子（５６）及び正電源（Ｖｄｄ）が前記信号入力線（１６）に正電源（Ｖｄｄ）の電圧を印加した後に、前記電流ドライバ回路（１５−１〜１５−ｍ）によって前記信号入力線（１６）から電流値Ｉｗを持つ電流を受信して複数のデータ線（１３−１〜１３−ｍ）に電流値Ｉｄを持つ電流を印加する
　アクティブマトリクス型表示装置。」
　　
（３）対比 
　本願補正発明と引用発明１とを比較する。 
　
（３−１）
　引用発明１の「画像データを示す電流値Ｉｄを持つ電流」は本願補正発明の「画像を示すデータ電流」に相当し、以下同様に、「ｍ本のデータ線（１３−１〜１３−ｍ）」は「複数のデータ線」に、「画素回路」は「画素回路」に、「表示領域」は「表示領域」に、「２本の信号入力線（１６−１、１６−２）」は「複数の第１信号線」に、「電流値Ｉｗを持つ電流」は「第１電流」に、「アクティブマトリクス型表示装置」は「表示装置」に、それぞれ相当する。 
　
（３−２）
　引用発明１の「電流源ＣＳ」は、「前記２本の信号入力線（１６−１、１６−２）に接続され、前記画像データに対応する電流値Ｉｗを持つ電流を時分割で前記信号入力線に供給する」ものであるから、本願補正発明の「前記複数の第１信号線に電気的に連結されて前記データ電流に対応する第１電流を時分割して前記第１信号線に伝達する」ものである「データ駆動部」に相当する。 
　
（３−３）
　引用発明１の各「電流ドライバ回路（１５Ａ−１〜１５Ａ−ｍ、１５Ｂ−１〜１５Ｂ−ｍ）」は、２本の信号入力線（１６−１、１６−２）のいずれかから時分割で供給される電流値Ｉｗをそれぞれ一旦電圧値に変換して保持するから、「複数の第１信号線のいずれかから前記第１電流を各々受信する」機能を有する。そして、引用発明１の「データ線ドライバ回路（１５）」は、複数の前記機能を有する「電流ドライバ回路（１５Ａ−１〜１５Ａ−ｍ、１５Ｂ−１〜１５Ｂ−ｍ）」から構成されるから、引用発明１の「電流ドライバ回路（１５Ａ−１〜１５Ａ−ｍ、１５Ｂ−１〜１５Ｂ−ｍ）」及び「データ線ドライバ回路（１５）」はそれぞれ、本願補正発明の「逆多重化器」及び「逆多重化部」に相当する。
　　
（３−４）
　引用発明１の各「電流ドライバ回路（１５Ａ−１〜１５Ａ−ｍ、１５Ｂ−１〜１５Ｂ−ｍ）」は、「保持した電圧値に基づいて、書き込まれた電流値Ｉｗとほぼ等しい電流値Ｉｄで１本のデータ線（１３−１〜１３−ｍ）を駆動する」ものであるから、「第１信号線のいずれかから前記第１電流を受信して前記データ線に前記データ電流を伝達する」機能を有している。よって、上記事項、及び、（３−３）から、本願補正発明の「逆多重化部」に相当する引用発明１の「データ線ドライバ回路（１５）」も、「前記逆多重化器によって前記第１信号線から前記第１電流を受信して少なくとも二つの前記データ線に前記データ電流を伝達する」ものである。
　 
（３−５）
 　したがって、本願補正発明と引用発明１の両者は、 
 「画像を示すデータ電流を伝達する複数のデータ線と前記データ線と電気的に連結されている複数の画素回路を含む表示領域と、
　複数の第１信号線と、
　前記複数の第１信号線に電気的に連結されて前記データ電流に対応する第１電流を時分割して前記第１信号線に伝達するデータ駆動部と、
　前記複数の第１信号線から前記第１電流を各々受信する複数の逆多重化器を含む逆多重化部とを含み、
　前記逆多重化部は、前記逆多重化器によって前記第１信号線から前記第１電流を受信して少なくとも二つの前記データ線に前記データ電流を伝達することを特徴とする表示装置。」の点で一致し、以下の点で相違する。 
 　 
 [相違点１] 
 　本願補正発明は「前記第１信号線に前記第１電流が伝達される前に前記第１信号線にプリチャージ電圧を伝達するプリチャージ部」を含み、前記逆多重化部が前記逆多重化器によって前記第１信号線から前記第１電流を受信して少なくとも二つの前記データ線に前記データ電流を伝達するタイミングが「前記プリチャージ部が複数の並列な前記第１信号線にプリチャージ電圧を伝達した後」であるのに対して、引用発明１はそのような構成を採っていない点。 
　　 
 （４）当審の判断 
相違点１について 
　（２−２−８）で述べたように、引用刊行物には、以下の引用発明２が記載されている。 
　「各画素に画像データを示す電流値Ｉｄを持つ電流を供給するｍ本のデータ線（１３−１〜１３−ｍ）と前記データ線（１３−１〜１３−ｍ）に配線されている複数の画素回路（１１）が多数配置されている表示領域と、
　１本の信号入力線（１６）と、
　前記１本の信号入力線（１６）に接続され、前記画像データを示す電流値Ｉｄを持つ電流に対応する電流値Ｉｗを時分割で前記１本の信号入力線（１６）に供給する電流源（ＣＳ）と、
　前記１本の信号入力線（１６）から電流値Ｉｗを一旦電圧値に変換して保持し、保持した電圧値に基づいて、書き込まれた電流値Ｉｗとほぼ等しい電流値Ｉｄで前記データ線（１３−１〜１３−ｍ）を駆動するｍ個の電流ドライバ回路（１５−１〜１５−ｍ）を含むデータ線ドライバ回路（１５）を含むアクティブマトリクス型表示装置において、
　前記信号入力線（１６）に電流値Ｉｗを持つ電流が印加される前に、前記信号入力線（１６）に正電源Ｖｄｄの電圧を印加するプリチャージ素子（５６）及び正電源（Ｖｄｄ）を設け、
　前記データ線ドライバ回路（１５）は、前記プリチャージ素子（５６）及び正電源（Ｖｄｄ）が前記信号入力線（１６）に正電源（Ｖｄｄ）の電圧を印加した後に、前記電流ドライバ回路（１５−１〜１５−ｍ）によって前記信号入力線（１６）から電流値Ｉｗを持つ電流を受信して複数のデータ線（１３−１〜１３−ｍ）に電流値Ｉｄを持つ電流を印加する
　アクティブマトリクス型表示装置。」
　
　そして、引用発明２の「正電源Ｖｄｄ」の電圧は、本願補正発明における「プリチャージ電圧」に相当する。そして、（３−１）によれば、「信号入力線（１６）」は「第１信号線」に相当するから、引用発明２の「前記信号入力線（１６）に正電源Ｖｄｄの電圧を印加する」ことは、本願補正発明の「前記第1信号線にプリチャージ電圧を伝達する」ことに相当する。したがって、引用発明２の「プリチャージ素子（５６）及び正電源（Ｖｄｄ）」は、本願補正発明の「プリチャージ部」に相当し、引用発明２の「前記プリチャージ素子（５６）及び正電源（Ｖｄｄ）が前記信号入力線に正電源（Ｖｄｄ）の電位を印加した後」とのタイミングは、本願補正発明の「前記プリチャージ部が前記第１信号線にプリチャージ電圧を伝達した後」に相当する。
　
　すなわち、上記事項及び（３−１）〜（３−４）に示した相当関係によれば、引用刊行物には、
「画像を示すデータ電流を伝達する複数のデータ線と前記データ線と電気的に連結されている複数の画素回路を含む表示領域と、第１信号線と、前記第１信号線に電気的に連結されて前記データ電流に対応する第１電流を時分割して前記第１信号線に伝達するデータ駆動部と、前記第１信号線から前記第１電流を受信する複数の逆多重化器を含む逆多重化部とを含む表示装置において、
前記第１信号線に前記第１電流が伝達される前に前記第１信号線にプリチャージ電圧を伝達するプリチャージ部とを設け、前記逆多重化部は、前記プリチャージ部が前記第１信号線にプリチャージ電圧を伝達した後に、前記逆多重化器によって前記第１信号線から前記第１電流を受信して少なくとも二つの前記データ線に前記データ電流を伝達する表示装置」の発明、すなわち引用発明２が記載されている。
　
　ここで、引用発明２に関する「実施形態６」について説明した上記記載事項５の【０１６６】〜【０１６７】に記載された「黒に近いグレーを書き込む際に長い時間を要する場合」は、「電流書き込み型の画素回路」を有する表示装置に固有の現象であるから、同じく「電流書き込み型の画素回路」を有する表示装置である引用発明１に、上記引用発明２の技術を適用することに、格別の困難性は認められない。そして、（３−４）によれば、引用発明１の「第１信号線（信号入力線）」は２本あり、「逆多重化部（データ線ドライバ回路（１５））」は「逆多重化器（電流ドライバ回路（１５Ａ−１〜１５Ａ−ｍ，１５Ｂ−１〜１５Ｂ−ｍ））」によって、２本の「第１信号線（信号入力線）」から同時に「第１電流（電流値Ｉｄを持つ電流）を受信する」のであるから、「前記プリチャージ部が前記第１信号線にプリチャージ電圧を伝達」する動作は、２本の「第１信号線（信号入力線）」に並列に行われることは明らかである。
　そして、上記相違点１に係る本願補正発明の発明特定事項によって奏される作用効果が、引用発明１及び引用発明２から想定することができない格別のものと認めることもできない。
　
　したがって、本願補正発明は、引用発明１及び引用発明２に基づいて当業者が容易に発明をすることができたものである。 
　
　よって、本願補正発明は、特許法第２９条第２項の規定により、特許出願の際独立して特許を受けることができない。 
　
（５）まとめ 
　以上のとおり、本件補正は、平成１８年法律第５５号改正附則第３条第１項によりなお従前の例によるとされる同法による改正前の特許法第１７条の２第５項において準用する特許法第１２６条第５項の規定に違反するので、特許法第１５９条第１項で読み替えて準用する特許法第５３条第１項の規定により却下されるべきものである。 
　
３　本願発明について 
　
 　平成２０年６月２日付け手続補正は上記のとおり却下されたので、本願の請求項１に係る発明（以下、「本願発明」という。）は、平成１９年１０月１１日付けの手続補正により補正された特許請求の範囲、明細書及び図面の記載からみて、請求項１に記載されたとおりのものと認める。（前記「２」の項参照。） 
 　 
４　引用刊行物 
　
　引用刊行物に記載された発明は、前記「２　（２−２−７）、（２−２−８）」に記載されたとおりである。 
 　 
５　対比・判断
　
　本願発明は、前記「２」で検討した本願補正発明から、実質的に、「逆多重化部」についての限定事項である「前記プリチャージ部が複数の並列な前記第１信号線にプリチャージ電圧を伝達した後に、前記逆多重化器によって前記第１信号線から前記第１電流を受信して少なくとも二つの前記データ線に前記データ電流を伝達する」との発明特定事項を省いたものである。
　そうすると、本願発明の発明特定事項をすべて含み、さらに他の発明特定事項を付加したものに相当する本願補正発明が、前記「２　（４）当審の判断」に記載したとおり引用発明１及び引用発明２に基づいて当業者が容易に発明をすることができたものであるから、本願発明も同様の理由により、引用発明１及び引用発明２に基づいて当業者が容易に発明をすることができたものである。
　　 
７　むすび 
　以上のとおり、本願発明は、引用発明１及び引用発明２に基づいて当業者が容易に発明をすることができたものであるから、特許法第２９条第２項の規定により特許を受けることができない。 
　したがって、他の請求項に係る発明について審理するまでもなく、本願は拒絶すべきものである。
 　 
 　よって、結論のとおり審決する。